(57)【要約】【課題】高齢者等の顧客も利用しやすく、且つ、適切な温度で積載・陳列可能とし、高い陳列効果を実現することができる移動販売車両を提供することを目的とする。【解決手段】この目的を達成するため、本件発明に係る移動販売車両は、ショーケースを貨物自動車の荷台の側縁部及び又は後縁部に沿って配置し、これら各ショーケースにより囲繞される荷台中央部に、当該ショーケースの陳列室内に所定の温度空間を形成するための冷凍機ユニットを配置した。【選択図】図１
2015071381.tif 000002
【特許請求の範囲】
【請求項１】
内部に陳列室を構成してなるショーケースを貨物自動車の荷台に備える移動販売車両であって、
当該ショーケースを当該貨物自動車の当該荷台の側縁部及び又は後縁部に沿って配置し、これら各ショーケースにより囲繞される当該荷台中央部に、当該ショーケースの陳列室内に所定の温度空間を形成するための冷凍機ユニットを配置したことを特徴とする移動販売車両。
【請求項２】
前記冷凍機ユニットは、圧縮機と放熱器と減圧手段と冷却器とを含む冷凍サイクル回路を備え、
前記ショーケースの陳列室内を、当該冷却器の吸熱作用により冷却、及び／又は、前記放熱器の放熱作用により加熱する請求項１に記載の移動販売車両。
【請求項３】
前記冷凍機ユニットは、さらに、前記冷却器により冷却、及び／又は、前記放熱器により加熱して、所定の温度帯の温度調整空気を形成する空調ダクトを備え、
当該空調ダクトにおいて形成された温度調整空気を前記各ショーケースの陳列室内に供給して、当該各陳列室内に所定の温度空間を形成する請求項２に記載の移動販売車両。
【請求項４】
前記冷凍機ユニットは、単一又は複数の冷却器と、単一又は複数の放熱器とを備え、
当該冷却器を前記各ショーケースのうち、冷却温度空間を形成するショーケースに配置すると共に、
当該放熱器を前記各ショーケースのうち、加熱温度空間を形成するショーケースに配置する請求項２に記載の移動販売車両。
【請求項５】
充放電可能な蓄電池を備え、
当該蓄電池からの給電により、前記冷凍機ユニット及び前記各ショーケースを運転する請求項１〜請求項４のいずれかに記載の移動販売車両。
【発明の詳細な説明】
【技術分野】
【０００１】
本件発明は、車両に商品を積載し、販売地に移動して、現地での商品の販売に用いる移動販売車両に関する。
【背景技術】
【０００２】
従来より、この種の移動販売車両は、小型トラックの荷台やマイクロバスの内部を改造して、当該車両に食料品や雑貨品などの商品を積載し、需要の見込まれる地域に移動して行う商品販売に用いられている。例えば、当該移動販売車両は、予め決められた曜日や時間帯に、所定の巡回ルートに沿って移動し、決められた各所において出店が行われる。過疎化や高齢化が進む地域では、スーパーマーケットやコンビニエンスストアなどの店舗が撤退する傾向にある。ゆえに、当該店舗の代替手段として、生鮮食品等を取り扱う移動販売車両は利便性が高い。また、イベント会場などの一時的な店舗建設が困難で、人が集中する場所などにおいては、弁当や加工食品、飲料などの需要が高い。
【０００３】
例えば、特許文献１に開示の商品移動展示販売車は、マイクロバス等の例えば、４トン車以下の車輌の一側部前部に出入口を開閉自在に設け、前記車輌の運転席部を除いた車輌部分を商品売場として形成している。車輌内部に形成された商品売り場には、前記車輌の中央長手方向に通路を設けている。この通路の両側部には、各種の商品を収納し、陳列する複数個の陳列棚、冷凍冷蔵庫及び冷凍冷蔵ショーケースをそれぞれ設けている。このほかに、前記冷凍冷蔵庫の近傍に電子レンジを設けて各種の商品を調理自在としている。また、前記冷凍冷蔵ショーケースは、車輌の内外から開閉自在としている。
【０００４】
また、特許文献２に開示の食料品等の移動販売車は、自動車の荷台上の４隅に各々支柱とシャッター用ガイドレールを立設して、荷台の両側部および後部に各々上方へ巻上げ可能なシャッターを設け、その内部空間を左右両側に２分する仕切り板と、後部寄りに左右への後板とを立設し、該仕切り板両側面と後板後面に、各々複数本の棚支持杆を立設して、各々に複数枚の棚板を取付高さ可変に横設し、少なくとも片側の最下段の棚板の下方に、上面がスライド式ガラス戸の冷蔵室を設け、かつ両側部と後部の上部に、各々枠付のひさし板をヒンジで取付けて、各ひさし板の開・閉維持用の伸縮腕杆を設けている。
【先行技術文献】
【特許文献】
【０００５】
【特許文献１】実公昭６４−１９５３９号公報
【特許文献２】実公昭６１−１４８６３７号公報
【発明の概要】
【発明が解決しようとする課題】
【０００６】
しかしながら、特許文献１の商品移動展示販売車は、マイクロバスの限られた車内スペースに複数台の陳列棚や、冷凍冷蔵庫及び冷凍冷蔵ショーケースの他に、各棚や冷凍製造設備まで移動するための通路を設けなければならない。商品の種類や量を豊富なものとするためには、棚や設備の種類を増加させ、それぞれの設置スペースを大きく取る必要がある。特許文献１の商品移動展示販売車では、車内壁面に沿って、陳列棚や冷却設備を配置し、これら対向して配置される陳列棚や冷却設備などの間の限られたスペースに通路を構成している。当該通路は、大人一人で容易に閉鎖されてしまう。ゆえに、マイクロバス内に複数の顧客が来店した場合、通路の奥部にいる顧客も入口に戻ることが困難となり、入口付近にいる顧客も通路の奥部にいる顧客が退かなければ、奥部に設置された陳列棚や冷却設備に陳列された商品を選択することができないという問題がある。従って、マイクロバスの車内スペースに陳列棚や冷却設備を設置した販売形態では、複数の顧客に対応することができないこととなる。
【０００７】
また、マイクロバスを用いた商品移動展示販売車は、通常の店舗とは異なり、商品売場の床面高さが地面よりも高く設定されている。よって、マイクロバスの入口には、階段が設置されているが、顧客の中でも高齢者等は、当該階段の上り下りが不便となる問題がある。
【０００８】
これに対し、特許文献２に記載の食料品等の移動販売車は、自動車の荷台上に、外に面して商品を陳列する棚が設けられている。この場合、自動車の荷台上に、顧客や店員等が移動するための通路を設ける必要がないため、荷台上の限られたスペースは、商品の陳列のために有効に用いることができる。また、特許文献１の場合とは異なり、顧客が自動車の荷台上に立ち入る必要がないため、顧客は、荷台の両側部や後部等の外周部から荷台上の陳列棚に陳列された商品を自由に手に取ることができる。
【０００９】
しかしながら、当該特許文献２に開示の食料品等の移動販売車は、荷台の外部に面して商品を陳列する棚は、格別な冷却手段を備えていないため、常温で保管が可能な商品等しか陳列することができない。また、常温での保管が可能な商品であったとしても、外気温度が上昇する夏季などは、当該棚上の温度は常温を超える高温にまで達するため、さらに、当該棚上に陳列可能な商品が限られてしまう。
【００１０】
また、当該特許文献２の食料品等の移動販売車には、上面がスライド式ガラス戸の冷蔵室が荷台上に設けられているが、冷蔵室内を冷却する格別な手段は設けられていない。ゆえに、当該特許文献２の移動販売車では、十分な温度環境で商品を陳列・貯蔵することはできない。さらに、当該特許文献２の移動販売車における冷蔵室は、上面にガラス戸を備えたものであるため、当該冷蔵室まで近寄って、当該冷蔵室を上方から見ない限り、商品を認識することができない。ゆえに、冷蔵室内に陳列された商品は、有効な陳列効果が得られないという問題がある。
【００１１】
上述したことから理解できるように、本件発明の課題は、高齢者等の顧客も利用しやすく、且つ、適切な温度で積載・陳列可能とし、高い陳列効果を実現することができる移動販売車両を提供することにある。
【課題を解決するための手段】
【００１２】
そこで、本件発明者等は、鋭意研究の結果、以下の構成を採用することにより、上述の課題を解決することに至った。
【００１３】
本件発明に係る移動販売車両は、内部に陳列室を構成してなるショーケースを貨物自動車の荷台に備えるものであって、当該ショーケースを当該貨物自動車の当該荷台の側縁部及び又は後縁部に沿って配置し、これら各ショーケースにより囲繞される当該荷台中央部に、当該ショーケースの陳列室内に所定の温度空間を形成するための冷凍機ユニットを配置したことを特徴とする。
【００１４】
本件発明において、前記冷凍機ユニットは、圧縮機と放熱器と減圧手段と冷却器とを含む冷凍サイクル回路を備え、前記ショーケースの陳列室内を、当該冷却器の吸熱作用により冷却、及び／又は、前記放熱器の放熱作用により加熱することが好ましい。
【００１５】
また、本件発明において、前記冷凍機ユニットは、さらに、前記冷却器により冷却、及び／又は、前記放熱器により加熱して、所定の温度帯の温度調整空気を形成する空調ダクトを備え、当該空調ダクトにおいて形成された温度調整空気を前記各ショーケースの陳列室内に供給して、当該各陳列室内に所定の温度空間を形成することが好ましい。
【００１６】
また、本件発明において、前記冷凍機ユニットは、単一又は複数の冷却器と、単一又は複数の放熱器とを備え、当該冷却器を前記各ショーケースのうち、冷却温度空間を形成するショーケースに配置すると共に、当該放熱器を前記各ショーケースのうち、加熱温度空間を形成するショーケースに配置することも好ましい。
【００１７】
さらに、本件発明の移動販売車両は、充放電可能な蓄電池を備え、当該蓄電池からの給電により、前記冷凍機ユニット及び各ショーケースを運転することが好ましい。
【発明の効果】
【００１８】
本件発明にかかる移動販売車両によれば、内部に陳列室が構成されたショーケースを荷台の側縁部や後縁部に沿って配置しているので、顧客は移動販売車輌の荷台上に立ち入ることなく、荷台の両側部や後部等の外周部から荷台上に設置された各ショーケースに陳列された商品を選択し、手に取ることができる。
【００１９】
また、本件発明に係る移動販売車両は、これらショーケースの陳列室内に所定の温度空間を形成するための冷凍機ユニットをこれら各ショーケースにより囲繞される荷台中央部に配置したので、当該ショーケースの配置によって、デッドスペースとなりやすい荷台中央部を有効に利用することが可能となる。よって、各ショーケースの下部に冷凍機ユニットを構成する各種機器を収容した機械室を設ける必要がなくなり、陳列室をショーケースの下部から構成することが可能となる。従って、荷台の側縁部や後縁部に配置されたショーケースは、荷台の高さよりも、当該ショーケースの断熱壁の厚さ分やダクト寸法分を高い位置から陳列室を構成することが可能となる。ゆえに、本件発明に係る移動販売車両は、通常の店舗よりも高い荷台上にショーケースが設置されているが、高齢者等の比較的背の低い顧客であっても利用しやすい高さに商品を陳列することが可能となる。
【００２０】
さらに、本件発明に係る移動販売車両によれば、冷凍機ユニットによって、各ショーケースの陳列室内には所定の温度空間が形成されているので、外気温度が上昇する夏季などであっても、陳列室内に陳列された商品を適切な温度で陳列・保管可能とすることができる。これにより、当該移動販売車両において扱うことができる商品のバリエーションを拡大することができ、商品ラインナップの拡充を図ることができる。
【図面の簡単な説明】
【００２１】
【図１】本実施の形態にかかる移動販売車両の後方斜視図である。
【図２】図１の移動販売車両の荷台上の概略構成を示す平面図である。
【図３】冷凍機ユニットの概略構成図である。
【図４】他の実施の形態としての移動販売車両の荷台上の概略構成を示す平面図である。
【図５】もう一つの他の実施の形態としての移動販売車両の荷台上の概略構成を示す平面図である。
【図６】さらにもう一つの他の実施の形態としての移動販売車両の荷台上の概略構成を示す平面図である。
【図７】ショーケースの天面に商品搬送装置を備えた本実施の形態の移動販売車両上部の後方斜視図である。
【図８】ショーケースの天面に収納庫を備えた本実施の形態の移動販売車両上部の後方斜視図である。
【図９】ショーケースの天面に広告を備えた本実施の形態の移動販売車両上部の後方斜視図である。
【発明を実施するための形態】
【００２２】
以下、図面を参照して本件発明を適用した移動販売車両の実施の形態について説明する。図１は本実施の形態にかかる移動販売車両１の後方斜視図、図２は図１の移動販売車両１の荷台３上の概略構成を示す平面図である。本実施の形態に係る移動販売車両１は、店舗等の基地において食料品や雑貨品などの商品を積載し、需要の見込まれる地域に移動して行う商品販売に用いられるものである。
【００２３】
本実施の形態における移動販売車両１は、例えば４トン車以下の貨物自動車であって、内部に運転席及び助手席を有する車室が構成されたキャビン２の後方に、上方に開放された荷台３を備える。本件発明における移動販売車両１は、内部に陳列室４１を構成してなる複数台のショーケースを当該貨物自動車の当該荷台３の側縁部及び又は後縁部に沿って配置し、これらショーケースの陳列室４１内に所定の温度空間を形成するための冷凍機ユニット１０をこれら各ショーケースにより囲繞される荷台３の中央部に配置したことを特徴とする。
【００２４】
本実施の形態において各ショーケースは、前面に開口した陳列室４１が構成されており、いずれも陳列室４１の前面開口４２が移動販売車両１の外方に向いた状態で荷台３上に設置されている。具体的に、図１に示す移動販売車両１は、当該移動販売車両１のキャビン２側を前方とした場合の左側縁部３Ａに沿って、ショーケース４０Ａ、４０Ｂが配置される。これらショーケース４０Ａ、４０Ｂは、陳列室４１の前面開口４２がキャビン２側を前方とした場合の左側縁部３Ａに向いた状態で配置される。そして、移動販売車両１のキャビン２側を前方とした場合の右側縁部３Ｂに、ショーケース４０Ｃ、４０Ｄが配置される。これらショーケース４０Ｃ、４０Ｄは、陳列室４１の前面開口４２がキャビン２側を前方とした場合の右側縁部３Ｂに向いた状態で配置される。また、荷台３の後縁部３Ｃに沿って配置されるショーケース４０Ｅ、４０Ｆは、陳列室４１の前面開口４２が荷台３の後方に向いた状態で配置される。
【００２５】
図１に示す移動販売車両１では、キャビン２側に配置されるショーケース４０Ａとショーケース４０Ｃは、当該キャビン２と荷台３とを区画する区画壁４に当接又は近接して配置される。そして、荷台３上にショーケース４０Ａ〜４０Ｆが当該荷台３の側縁部３Ａ又は３Ｂ又は後縁部３Ｃに沿って配置された状態で、区画壁４と、各ショーケース４０Ａ〜４０Ｆの背面とにより囲繞された荷台３上中央部の空間には、これらすべて又は一部のショーケースの陳列室４１内に所定の温度空間を形成するための冷凍機ユニット１０が配置されている。
【００２６】
ここで、冷凍機ユニット１０が、荷台３上に設置されるすべて又は一部のショーケースの陳列室４１内に所定の温度空間を形成するためのものとしているのは、荷台３上に設置されるショーケースとして、冷凍機ユニット１０による加熱又は冷却を不要とする非冷却の陳列棚や、別途電気ヒータにより加熱を行う温蔵ショーケースを採用しても良いからである。本実施の形態にかかる図１の移動販売車両１では、ショーケース４０Ｄは、冷凍機ユニット１０による加熱又は冷却を不要とする非冷却の陳列棚である。当該ショーケース４０Ｄには、常温での保管が可能な商品が陳列される。ゆえに、図１の実施の形態では、ショーケース４０Ｄを除く、ショーケース４０Ａ、４０Ｂ、４０Ｃ、４０Ｅ、４０Ｆの陳列室４１内に所定の温度空間を形成する冷凍機ユニット１０が、区画壁４と各ショーケースにより囲繞された空間に設けられる。
【００２７】
また、当該移動販売車両１には、充放電可能な例えばリチウムイオン電池からなる蓄電池５が設けられている。当該蓄電池５は、キャビン２の天部や、荷台３上のデッドスペース、例えば、冷凍機ユニット１０内部や、各ショーケースの天面部に設けられることが好ましい。また、荷台３上に設置されるショーケースの設置高さに影響を与えない範囲であれば、当該蓄電池５を荷台３上に敷き詰め、当該蓄電池５の上面にショーケースや冷凍機ユニット１０を配置しても良い。図２では、冷凍機ユニット１０の下部に蓄電池５を配置した状態を点線にて示している。当該蓄電池５は、移動販売車両１が店舗等の基地から離れた状態で、例えば８時間〜１０時間、当該移動販売車両１に搭載された冷凍機ユニット１０やショーケース、その他の各機器を駆動可能とする容量を備えていることが望ましい。当該移動販売車両１には、図示しない電源コンセントが取り付けられており、当該移動販売車両１に搭載された冷凍機ユニット１０や各ショーケースへの給電や、当該蓄電池５への充電を可能とする。なお、本実施の形態では、当該蓄電池５は、荷台３上のショーケースと冷凍機ユニット１０との間に配置されているが、当該配置場所に限られず、移動販売車両１自体に設けられていれば、いずれの場所であっても良い。
【００２８】
以下に、ショーケース４０Ａ、４０Ｂ、４０Ｃ、４０Ｅ、４０Ｆと、冷凍機ユニット１０の構成について説明する。まず、ショーケースの構成について説明する。ショーケース４０Ａ、４０Ｂ、４０Ｃ、４０Ｅ、４０Ｆは、いずれも同様の構成を採用することが可能であるため、ここでは、ショーケース４０Ａを例に挙げて説明する。なお、ショーケース４０Ｄについては、所謂非冷却の陳列棚を採用することが可能であるため、ここでは説明を省略する。
【００２９】
ショーケース４０Ａは、前面に開口した断面略コ字状の断熱壁４３と、当該断熱壁４３の両側面を構成する側壁４４とから本体が構成されている。特に、他のショーケースと隣接する側に配置される側壁４４は、例えば内部を透視可能とする強化ガラス又は強化プラスチック等の透明壁により構成されていることが好ましい。また、当該ショーケース４０Ａは、前面開口４２が透明ガラス扉４７によって開閉自在に閉塞されていることが、陳列室４１内の温度調整効率の観点から好ましい。ただし、陳列室４１内に陳列された商品の販売促進の観点から、当該前面開口４２に扉４７を設けずに、所謂オープンショーケースとして用いても良い。
【００３０】
上述した断熱壁４３の内側には、当該断熱壁４３の内壁と間隔をおいて仕切板４５が取り付けられている。これにより、当該仕切板４５と断熱壁４３との間にダクト４６が形成されている。そして、当該仕切板４５の内側には、前面に開口すると共に、複数の陳列棚が架設された陳列室４１が構成されている。当該陳列室４１の前面開口４２の上縁には、図示しない吐出口が形成されており、この吐出口に対向する開口４２の下縁には同じく図示しない吸込口が形成されている。これら吐出口及び吸込口は、それぞれダクト４６に連通している。当該ダクト４６内には、陳列室内循環用の送風機４８が配設されていると共に、前記冷凍機ユニット１０において形成された温度調整空気を当該ダクト４６内に流入させる吸込部４９と、当該陳列室４１内を循環した空気の一部を冷凍機ユニット１０に帰還させる図示しない流出部が形成されている。
【００３１】
当該構成により、当該冷凍機ユニット１０と陳列室内循環用の送風機４８が運転されると、冷凍機ユニット１０において形成された温度調整空気は、吸込部４９からダクト４６内に流入して、吐出口から吸込口に向かって陳列室４１内に吐出される。吐出口から吐出される温度調整空気によって、陳列室４１の前面開口４２には、エアーカーテンが形成される。そして、当該エアーカーテンの一部が陳列室４１内に循環することで、当該陳列室４１内が所定の温度に冷却又は加熱されて調整される。吸込口から吸い込まれた温度調整空気は、ダクト４６内に戻り、当該帰還した空気の一部は、流出部を介して冷凍機ユニット１０に帰還する。
【００３２】
次に、上述した冷凍機ユニット１０について図３の概略構成図を参照して説明する。本実施例における冷凍機ユニット１０は、冷凍サイクル回路１１と、空調ダクト２５とを図１に示すユニット本体１０Ａ内に収容して構成される。
【００３３】
冷凍サイクル回路１１は、圧縮機１２と、第１放熱器１３と、減圧装置としての膨張弁１５と、冷却器１６とを順次環状に配管接続して構成されており、当該冷凍サイクル回路１１内には、所定量の冷媒が封入されている。また、この冷凍サイクル回路１１は、圧縮機１２の冷媒吐出側と膨張弁１５の冷媒流入側との間の冷媒配管に、第２放熱器１４が第１放熱器１３と並列に接続されている。第１放熱器１３の冷媒流入側の冷媒配管には、当該放熱器１３への冷媒の流入を制御する電磁弁１７が介設されている。また、第２放熱器１４の冷媒流入側の冷媒配管には、当該放熱器１４への冷媒の流入を制御する電磁弁１８が介設されている。図３中、１９は受液器であり、第１放熱器１３及び第２放熱器１４の冷媒流出側と膨張弁１５の冷媒流入側との間の冷媒配管に介設されている。また、当該第１放熱器１３及び第２放熱器１４の冷媒流出側の冷媒配管には、それぞれ受液器１９側から各放熱器１３及び１４へ冷媒が流れ込むことを防止するための逆止弁２１、２２が介設されている。図中２３は、第２放熱器１４の近傍に配設された放熱器用送風機である。
【００３４】
一方、空調ダクト２５は、内部に、ダクト用送風機２６と、上述した冷凍サイクル回路１１を構成する冷却器１６と、第１放熱器１３とを配設してなるダクト部材である。当該空調ダクト２５は、冷却器１６の吸熱作用により冷却及び／又は第１放熱器１３により加熱して、複数種類の所定の温度帯の温度調整空気を形成するものである。空調ダクト２５のダクト用送風機２６の空気上流側には、外気又は各ショーケース４０Ａ、４０Ｂ、４０Ｃ、４０Ｅ、４０Ｆの流出部を介して当該冷凍機ユニット１０に帰還した空気を空調ダクト２５内に流入させる吸入部２７が設けられている。当該吸入部２７には、外気の流入を制御する吸入空気切替ダンパ２８が設けられている。
【００３５】
そして、この空調ダクト２５の内部には、冷却器１６及び／又は第１放熱器１３を通過した空気を各ショーケース４０Ａ、４０Ｂ、４０Ｃ、４０Ｅ、４０Ｆの吸込部４９に供給するための複数の空気流路が形成されている。各ショーケースには、冷却器１６及び／又は第１放熱器１３を通過することで、冷却器１６の吸熱作用により冷却、及び／又は、第１放熱器１３の放熱作用により加熱されて、所定の温度に調整された空気が供給される。
【００３６】
ここで、本実施の形態における移動販売車両１は、適切な保管温度帯が異なる複数種類の商品を陳列可能とするため、各ショーケース４０Ａ〜４０Ｆの陳列室４１には、それぞれ異なる温度帯の温度空間が形成されている。本実施の形態の移動販売車両１は、ショーケース４０Ａ〜４０Ｆの陳列室４１内に、冷凍温度帯、チルド温度帯、冷蔵温度帯、常温温度帯、温蔵温度帯の５温度帯を形成可能とする。
【００３７】
冷凍温度帯は、例えば、−２０℃〜−２５℃である。当該冷凍温度帯の陳列室は、主に冷凍食品や冷菓等の商品の陳列に適している。チルド温度帯は、例えば３℃〜５℃である。当該チルド温度帯の陳列室は、デザート類や、乳製品、サンドイッチ、麺類などの加工食品等の商品の陳列に適している。冷蔵温度帯は、例えば、８℃〜１２℃である。当該冷蔵温度帯の陳列室は、主に、弁当やおにぎりなどの加工食品等の商品の陳列に適している。常温温度帯は、冷却や加熱を不要とする温度帯である。当該常温温度帯に相当する陳列棚等のショーケースには、主に、日用雑貨や、パン、米、スナック菓子等の菓子類等の常温保存で品質が低下し難い商品の陳列に適している。温蔵温度帯は、例えば、５０℃〜６０℃である。当該温蔵温度帯の陳列室は、主に、加熱しながら陳列するペットボトル入りの飲料や、缶入りの飲料、加熱調理済みの加工食品等の商品の陳列に適している。
【００３８】
本実施の形態では、ショーケース４０Ａの陳列室４１内が、冷凍温度帯の温度空間が形成され、ショーケース４０Ｂの陳列室４１内には、チルド温度帯の温度空間が形成される。そして、ショーケース４０Ｅと、４０Ｆの陳列室４１内には、それぞれ冷蔵温度帯の温度空間が形成される。ショーケース４０Ｃには、温蔵温度帯の温度空間が形成される。上述したようにショーケース４０Ｄの陳列室４１内、又は非冷却の陳列棚上は、格別に温度調整がされた空気が供給されない常温温度帯の陳列空間として用いられる。
【００３９】
ゆえに、本実施の形態における移動販売車両では、図２に示すように、空調ダクト２５の内部には、各ショーケース４０Ａ、４０Ｂ、４０Ｃ、４０Ｅ、４０Ｆの吸込部４９に供給するための空気流路３０Ａ、３０Ｂ、３０Ｃ、３０Ｅ、３０Ｆが形成されている。
【００４０】
具体的には、空調ダクト２５内は、冷却器１６及び第１放熱器１３の空気上流側において、冷却器１６側に流入させる空気流路３１と、第１放熱器１３側に流入させる空気流路３２に区画されている。なお、第１放熱器１３は、冷却器１６の空気下流側に位置して、当該空気流路３１の一部と、空気流路３２内に貫通した状態で配置されている。また、各空気流路は、空調ダクト２５内を区画する仕切壁によって形成しても良く、配管により構成しても良い。
【００４１】
上述した当該空気流路３１の冷却器１６の空気下流側には、当該冷却器１６のみを通過した空気を供給するための空気流路３０Ａが設けられている。当該空気流路３０Ａの空気下流側端部は、冷凍温度帯の温度空間が形成されるショーケース４０Ａの吸込部４９に接続される。
【００４２】
また、冷却器１６の空気下流側には、当該冷却器１６を通過した後、当該冷却器１６の空気下流側に配設された第１放熱器１３を一部通過した空気を供給するための空気流路３０Ｂが設けられている。当該空気流路３０Ｂの空気下流側端部は、チルド温度帯の温度空間が形成されるショーケース４０Ｂの吸込部４９に接続される。
【００４３】
さらに、冷却器１６の空気下流側には、当該冷却器１６を通過した後、当該冷却器１６の空気下流側に配設された第１放熱器１３を通過した空気を供給するための空気流路３０Ｅ及び３０Ｆがそれぞれ設けられている。各空気流路３０Ｅ、３０Ｆの空気下流側端部は、それぞれ冷蔵温度帯の温度空間が形成される各ショーケース４０Ｅと、４０Ｆの吸込部４９に接続される。
【００４４】
また、上述した空気流路３２の第１放熱器１３の空気下流側には、当該第１放熱器１３のみを通過した空気を供給するための空気流路３０Ｃが設けられている。当該空気流路３０Ｃの空気下流側端部は、温蔵温度帯の温度空間が形成されるショーケース４０Ｃの吸込部４９に接続される。
【００４５】
上述した構成により、冷凍機ユニット１０の基本動作について説明する。まずはじめに、第１放熱器１３への冷媒流入を制御する電磁弁１７を開いて、第２放熱器１４への冷媒流入を制御する電磁弁１８を閉じた状態とする。この状態で、圧縮機１２と、ダクト用送風機２６と、各ショーケースの陳列室内循環用の送風機４８を起動させる。圧縮機１２が運転されることにより、圧縮機１２から吐出された高温冷媒は、電磁弁１７を介して第１放熱器１３に流入し、空調ダクト２５内において放熱作用を発揮して、当該空調ダクト２５内の空気と熱交換することで冷却される。第１放熱器１３で空冷された冷媒は、受液器１９を経て膨張弁１５で減圧された後、冷却器１６内に流入して吸熱作用を発揮する。そして、冷却器１６から流出した冷媒は、圧縮機１２に帰還する。当該冷凍サイクル回路１１が連続的に動作することで、冷却器１６において冷却能力が発揮され、第１放熱器１３において加熱能力が発揮される。
【００４６】
そして、ダクト用送風機２６が運転されることにより、吸入部２７を介して空調ダクト２５内に、外気又は各ショーケース４０Ａ、４０Ｂ、４０Ｃ、４０Ｅ、４０Ｆの流出部を介して当該冷凍機ユニット１０に帰還した空気が吸い込まれる。外気の流入量は、吸入空気切替ダンパ２８を開閉制御して調整される。
【００４７】
空調ダクト２５内に流入した空気は、一部が空気流路３２内に流入し、その残部が空気流路３１内に流入する。空気流路３１内に流入した空気は、冷却器１６を通過する過程で当該冷却器１６による吸熱作用によって冷却される。冷却器１６を経た空気の一部は、空気流路３０Ａを経てショーケース４０Ａの吸込部４９に供給される。当該ショーケース４０Ａの吸込部４９に供給された冷気は、当該ショーケース４０Ａのダクト４６内に流入し、当該ダクト４６内に配設された陳列室内循環用の送風機４８により加速されて、当該ショーケース４０Ａの吐出口から陳列室４１内に向けて吐出される。陳列室４１内に吐出された冷気が当該陳列室４１内を循環することにより、当該ショーケース４０Ａの陳列室４１内は、所定の冷却温度に冷却される。本実施の形態では、当該ショーケース４０Ａの陳列室４１内には、冷凍温度帯の温度空間が形成される。そして、当該ショーケース４０Ａの吸込口から吸い込まれた空気は、ダクト４６内に戻り、当該帰還した空気の一部は、流出部を介して冷凍機ユニット１０に帰還する。
【００４８】
一方、空気流路３０Ａ内に流入した以外の冷却器１６を経た冷気の残部は、一部が空気流路３０Ｂ内に流入し、その残部が第１放熱器１３内に流入する。第１放熱器１３を経て、当該第１放熱器１３の放熱作用によって加熱された空気は、その一部が空気流路３０Ｂ内に流入し、その残部は、空気流路３０Ｅ及び３０Ｆ内に流入する。ここで、空気流路３０Ｂ内には、冷却器１６を経てそのまま流入した冷気と、冷却器１６を経てその後第１放熱器１３の放熱作用により加熱された後の空気とが流入する。そのため、当該空気流路３０Ｂ内では、冷気と暖気とが混合することで所定の温度、ここでは、チルド温度帯の温度調整空気が形成される。この際、第１放熱器１３を通過する空気は、一旦冷却器１６で冷却された空気である。そのため、第１放熱器１３を通過する空気中に含まれる水分は、一旦冷却器１６において冷却されて凝縮し除去されている。よって、第１放熱器１３を通過する空気は、含有水分量が少ないため、加熱後、ショーケース側に供給された際において、結露の発生を抑制することが可能となる。
【００４９】
空気流路３０Ｂ内において所定のチルド温度帯に調整された温度調整空気は、ショーケース４０Ｂの吸込部４９に供給される。当該ショーケース４０Ｂの吸込部４９に供給されたチルド温度帯の温度調整空気は、ショーケース４０Ａと同様に、当該ショーケース４０Ｂのダクト４６内に流入し、当該ダクト４６内に配設された陳列室内循環用の送風機４８により加速されて、当該ショーケース４０Ｂの吐出口から陳列室４１内に向けて吐出される。陳列室４１内に吐出されたチルド温度帯の温度調整空気が当該陳列室４１内を循環することにより、当該ショーケース４０Ｂの陳列室４１内は、所定のチルド温度帯に温度調整された温度空間が形成される。そして、当該ショーケース４０Ｂの吸込口から吸い込まれた空気は、ダクト４６内に戻り、当該帰還した空気の一部は、流出部を介して冷凍機ユニット１０に帰還する。
【００５０】
他方、空気流路３０Ｅ及び３０Ｆ内に流入した空気は、冷却器１６において冷却されて含有水分が凝縮除去された後、第１放熱器１３において加熱されることで、所定の温度、ここでは、上述した冷蔵温度帯に調整された温度調整空気である。各空気流路３０Ｅ及び３０Ｆ内に流入した冷蔵温度帯に調整された温度調整空気は、各ショーケース４０Ｅ又は４０Ｆの吸込部４９に供給される。当該ショーケース４０Ｅ又は４０Ｆの吸込部４９に供給された冷蔵温度帯の温度調整空気は、ショーケース４０Ａと同様に、当該ショーケース４０Ｅ又は４０Ｆのダクト４６内に流入し、当該ダクト４６内に配設された陳列室内循環用の送風機４８により加速されて、当該ショーケース４０Ｅ又は４０Ｆの吐出口から陳列室４１内に向けて吐出される。陳列室４１内に吐出された冷蔵温度帯の温度調整空気が当該陳列室４１内を循環することにより、当該ショーケース４０Ｅ及び４０Ｆの陳列室４１内は、所定の冷蔵温度帯に温度調整された温度空間が形成される。そして、当該ショーケース４０Ｅ又は４０Ｆの吸込口から吸い込まれた空気は、ダクト４６内に戻り、当該帰還した空気の一部は、流出部を介して冷凍機ユニット１０に帰還する。なお、チルド温度帯に供給される温度調整空気と同様に、当該冷蔵温度帯に供給される温度調整空気は、一旦冷却器１６において冷却された含有水分の凝縮除去がされた後、第１放熱器１３において加熱された空気であるため、ショーケース側に供給された際において、結露の発生を抑制することが可能となる。
【００５１】
上述した空気流路３２内に流入した空気は、第１の放熱器１３を通過する過程で当該第１放熱器１３による加熱作用によって加熱される。第１放熱器１３を経た暖気は、空気流路３０Ｃを経てショーケース４０Ｃの吸込部４９に供給される。当該ショーケース４０Ｃの吸込部４９に供給された暖気は、当該ショーケース４０Ｃのダクト４６内に流入し、当該ダクト４６内に配設された陳列室内循環用の送風機４８により加速されて、当該ショーケース４０Ｃの吐出口から陳列室４１内に向けて吐出される。陳列室４１内に吐出された冷気が当該陳列室４１内を循環することにより、当該ショーケース４０Ｃの陳列室４１内は、所定の温蔵温度に調整された温度空間が形成される。そして、当該ショーケース４０Ｃの吸込口から吸い込まれた空気は、ダクト４６内に戻り、当該帰還した空気の一部は、流出部を介して冷凍機ユニット１０に帰還する。
【００５２】
上述した各ショーケースの陳列室内に所定の温度帯の温度空間の形成動作において、第１の放熱器１３による加熱作用が過大となった場合には、電磁弁１７を閉鎖、若しくは、冷媒流量を減少させ、電磁弁１８を開放する。電磁弁１８を開放することによって、圧縮機１２から吐出された高温冷媒の全部又は一部は、第２放熱器１４内に流入して冷却することが可能となる。これにより、冷却器１６における冷凍能力を減少させることなく、第１放熱器１３における加熱作用を減少させることができる。よって、各ショーケース内を適切に所定の温度帯に冷却又は加熱することが可能となる。
【００５３】
以上の構成により、移動販売車両１の動作について説明する。まず、移動販売車両１が店舗等の基地に待機した状態において、当該移動販売車両１の上述の電源コンセントは、商用交流電源に接続される。よって、移動販売車両１に搭載された冷凍機ユニット１０の圧縮機１２や、ダクト用送風機２６、放熱器用送風機２３、各ショーケースの陳列室内循環用の送風機４８等は、商用交流電源からの電源供給によって運転される。冷凍機ユニット１０及び各ショーケースが運転されると、各ショーケースの陳列室内には、対応する温度帯の温度調整空気（冷気や暖気を含む）により、所定の温度空間が形成・維持される。そして、当該冷凍機ユニット１０及びショーケースの運転と平行して、蓄電池５には、充電が行われる。
【００５４】
上述の蓄電池５への充電が終了するまでの間に、店舗等の基地において、各ショーケースの陳列室４１内には、商品の補充作業が行われる。上述したように、各ショーケースの陳列室４１内は、それぞれ対応する温度帯の温度空間が形成・維持されているため、当該陳列室４１内に陳列された商品は、適切な温度で保冷又は、保温することが可能となる。
【００５５】
移動販売車両１の移動を開始する場合には、電源コンセントを交流電源から外す。交流電源からの電源供給が遮断されることで、冷凍機ユニット１０及び各ショーケースは、蓄電池５から供給される電力によって運転が行われる。当該移動販売車両１は、店舗等の基地から予め決められたルートに従って各所の出店場所に移動し、各所の出店場所において、当該移動販売車両１に積載された商品の展示・販売を行うことができる。
【００５６】
ここで、本実施の形態における移動販売車両１は、上述したように、内部に陳列室４１が構成された各ショーケースを荷台３の側縁部３Ａ、３Ｂや後縁部３Ｃに沿って配置している。よって、出店場所において、顧客等は移動販売車両１の荷台３上に立ち入ることなく、当該荷台３の両側部や後部等の外周部から荷台３上に設置された各ショーケースに陳列された商品を選択し、手に取ることができる。
【００５７】
特に、本実施の形態における移動販売車両１は、これらショーケースの陳列室４１内に所定の温度空間を形成するための冷凍機ユニット１０がこれら各ショーケースにより囲繞される荷台３中央部に配置されている。ゆえに、当該ショーケースの配置によって、デッドスペースとなりやすい荷台３中央部には、当該ショーケースの陳列室４１内を冷却又は加熱するために必要となる冷凍機ユニット１０を配置することができるので、当該荷台３の中央部のスペースを有効に利用することが可能となる。
【００５８】
ゆえに、従来の移動販売車両のように、各ショーケースの下部に冷凍機ユニットを構成する各種機器を収容した機械室を設ける必要がなくなり、陳列室４１をショーケースの下部から構成することが可能となる。従って、荷台３の側縁部や後縁部に配置されたショーケースは、荷台３の高さよりも、当該ショーケースの断熱壁の厚さ分やダクト寸法分だけ高い位置から陳列室４１を構成することが可能となる。かかる構成により、本件発明に係る移動販売車両１は、通常の店舗よりも高い荷台３上にショーケースが設置されているが、高齢者等の比較的背の低い顧客であっても利用しやすい高さに商品を陳列することが可能となる。
【００５９】
特に、規格が軽自動車に相当する貨物自動車の地上から荷台３床面までの高さは、多くが６４ｃｍ〜６７ｃｍである。そのため、荷台３上に配設されたショーケースの最下段の陳列棚上は、比較的背の低い高齢者や子供であっても視認性が高く、膝を曲げることなく商品を手に取り易い高さに相当する。従って、当該最下段の陳列棚上は、他の陳列棚上と比べてより優位性の高い棚として有効に利用することが可能となり、より一層高い陳列効果を発揮することができる。
【００６０】
さらに、本実施の形態における移動販売車両１は、各ショーケース４０Ａ、４０Ｂ、４０Ｃ、４０Ｅ及び４０Ｆの陳列室４１内には、冷凍機ユニット１０により、異なる所定の温度帯の温度空間が形成されている。具体的には、上述したように、移動販売車両１に設置された各ショーケースの陳列室４１内に、冷凍温度帯、チルド温度帯、冷蔵温度帯、常温温度帯、温蔵温度帯の５温度帯の陳列空間が形成されている。ゆえに、外気温度が上昇する夏季などであっても、当該外気温度に大きく左右されることなく、陳列室４１内に陳列された商品を適切な温度で陳列・保管可能とすることができる。従って、当該移動販売車両１では、常温温度帯の温度空間とされるショーケース４０Ｄの陳列室内を含めて、他種類の温度帯の温度空間を形成する陳列室４１が設けられているので、当該移動販売車両１において扱うことができる商品のバリエーションを拡大することができ、商品ラインナップの拡充を図ることができる。
【００６１】
また、本実施の形態の移動販売車両１には、当該移動販売車両１に搭載された冷凍機ユニット１０やショーケース、その他の各機器を駆動するために、所定の容量を備えた蓄電池５が搭載されている。当該蓄電池５は、冷凍機ユニット１０を含む各機器を例えば、８時間〜１０時間連続して駆動可能な容量を備えている。ゆえに、出店場所に移動した後、移動販売車両１は、車両エンジンを停止した状態で、冷凍機ユニット１０及び各ショーケースの運転を支障なく継続して行うことができ、各ショーケースの陳列室４１内を所定の温度帯に維持することが可能となる。
【００６２】
従って、本実施の形態における移動販売車両１は、車両に搭載されたエンジンに依存して冷凍機ユニット１０等を稼働する場合とは異なり、外気温度が高く運転効率が低下した場合であっても、移動のために用いる燃料が冷凍機ユニット１０の稼働のために消費されて、店舗等の基地に帰還不能となるおそれを回避することができる。また、ガソリンなどの燃料が、車両に搭載された冷凍機ユニット等の稼働を行う電力供給源として用いられないため、車両自体の燃費を向上させることができると共に、ＣＯ２の排出量を大幅に削減することができる。
【００６３】
上述した移動販売が終了した後、移動販売車両１は、店舗等の基地に帰還した後、電源コンセントを商用交流電源に接続して、当該移動販売車両１に搭載された冷凍機ユニット１０及びショーケースは、再び、商用交流電源からの給電により運転を行う。また、電源コンセントの商用交流電源への接続によって、移動販売車両１に搭載された蓄電池５への充電を行う。
【００６４】
店舗等の基地に帰還した移動販売車両１は、電源コンセントを商用交流電源に接続することで、冷凍機ユニット１０やショーケース等を稼働させることができるため、各ショーケースの陳列室４１内は、所定の温度帯に維持することができる。よって、基地に帰還した際に、各ショーケースに陳列された商品を下ろして、店舗等に設置された冷却設備などにおいて管理する必要がない。また、基地から移動販売先に向かう際にも、商品の多くはショーケース内に陳列されているため、補充作業を行うのみで出発することが可能となる。ゆえに、店舗等の基地における煩雑な作業を回避することができ、作業性の向上を図ることができる。
【００６５】
また、本件発明に係る移動販売車両に採用された冷凍機ユニット１０の実施の形態は、上述した実施の形態に限定されない。以下に、図４〜図６を参照して、他の実施の形態としての冷凍機ユニットについて例示する。
【００６６】
図４は他の実施の形態としての冷凍機ユニット５０を備えた移動販売車両の荷台３上の概略平面図である。当該冷凍機ユニット５０は、上述した実施の形態における冷凍機ユニット１０と同様に、冷凍サイクル回路１１と空調ダクトとをユニット本体内に収容して構成される。ここでは、上述した冷凍機ユニット１０と比べて、空調ダクトのみの構成が異なるため、当該空調ダクト５１の構成についてのみ説明する。
【００６７】
当該空調ダクト５１は、内部にダクト用送風機２６と、冷凍サイクル回路１１を構成する冷却器１６と、第１放熱器１３とを配設して構成される。上述した実施の形態における空調ダクト２５と同様に、ダクト用送風機２６の空気上流側には、外気又は各ショーケースの流出部を介して当該冷凍機ユニット１０に帰還した空気を空調ダクト５１内に流入させる吸入部２７が設けられている。当該吸入部２７には、外気の流入を制御する吸入空気切替ダンパ２８が設けられている。
【００６８】
そして、この空調ダクト５１の内部には、冷却器１６が配設される冷気流路５２と、第１放熱器１３が配設される暖気流路５３が形成されている。冷気流路５２の冷却器１６よりも冷気下流側には、各ショーケース４０Ａ〜４０Ｆに対応する複数の分配冷気流路５４Ａ〜５４Ｆが接続されている。同様に、暖気流路５３の第１放熱器１３よりも暖気下流側には、各ショーケース４０Ａ〜４０Ｆに対応する複数の分配暖気流路５５Ａ〜５５Ｆが接続されている。
【００６９】
同一のショーケース４０Ａ〜４０Ｆに対応する分配冷気流路５４Ａ〜５４Ｆと分配暖気流路５５Ａ〜５５Ｆは、それぞれ所定の温度帯の温度調整空気を形成するエアミックスダクト５６Ａ〜５６Ｆに接続されている。各エアミックスダクト５６Ａ〜５６Ｆは、分配冷気流路から流入する冷気量を制御する図示しない冷気用ダンパと、分配暖気流路から流入する暖気量を制御する図示しない暖気用ダンパとを備えている。当該エアミックスダクト５５Ａ〜５５Ｆの空気流出側端部は、対応するショーケース４０Ａ〜４０Ｆの吸込部４９に接続されている。
【００７０】
当該構成において、当該冷気用ダンパと暖気用ダンパを開閉制御することにより、各エアミックスダクト５６Ａ〜５６Ｆでは、混合する冷気量と暖気量との割合を任意に変更することができる。よって、各エアミックスダクトでは、対応するショーケース４０Ａ〜４０Ｆに応じた温度帯の温度調整空気を形成することができる。ゆえに、当該実施の形態では、格別に配管接続等を変更することなく、エアミックスダクトの各ダンパ制御によって、移動販売車両１に搭載された各ショーケースの陳列室４１内を任意の温度帯に設定することが可能となる。従って、当該移動販売車両１の各ショーケースは、取扱商品に応じて柔軟に陳列温度帯を変更して対応することが可能となる。
【００７１】
図５はもう一つの他の実施の形態としての冷凍機ユニット６０を備えた移動販売車両の荷台３上の概略平面図である。当該冷凍機ユニット６０は、冷凍サイクル回路６１をユニット本体内に収容して構成される。冷凍サイクル回路６１は、圧縮機６２と、放熱器６３と、減圧装置としての膨張弁６４と、冷却器６５とを順次環状に配管接続して構成されており、当該冷凍サイクル回路６１内には、所定量の冷媒が封入されている。
【００７２】
ここで、当該実施の形態における移動販売車両は、１台の温蔵ショーケース７０Ａと、５台の冷却ショーケース７０Ｂ〜７０Ｆが配設されている。なお、各ショーケース７０Ａ〜７０Ｆの具体的な構成は、上述したショーケース４０Ａの構成と略同様であるため、説明を省略する。よって、当該冷凍サイクル回路６１に設けられる放熱器６３は、温蔵ショーケース７０Ａのダクト４６内に配設される第１放熱器６３Ａと、当該冷凍機ユニット６０のユニット本体内に収容される第２放熱器６３Ｂであり、これら放熱器６３Ａ及び６３Ｂは、並列に配管接続されている。各放熱器６３Ａ及び６３Ｂへの冷媒の流入制御は、当該放熱器６３Ａ及び６３Ｂの冷媒流入側に介設された電磁弁６６Ａ及び６６Ｂを開閉することにより行われる。なお、第２放熱器６３Ｂの近傍には、空冷用の放熱器用送風機６７が配設されている。そして、冷凍サイクル回路６１に設けられる冷却器６５は、各冷却ショーケース７０Ｂ〜７０Ｆのダクト４６内に配設される第１冷却器６５Ｂ〜第５冷却器６５Ｆであり、これら冷却器６５Ｂ〜６５Ｆは、並列に配管接続されている。各冷却器６５Ｂ〜６５Ｆの冷媒流入側には、それぞれ対応する膨張弁６４Ｂ〜６４Ｆが設けられている。
【００７３】
当該構成により、冷凍サイクル回路６１の圧縮機６２を運転することにより、圧縮機６２から吐出した高温冷媒は、第１放熱器６３Ａ及び又は第２放熱器６３Ｂ内に流入して冷却される。各放熱器６３Ａ及び６３Ｂから流出した冷媒は、それぞれ膨張弁６４Ｂ〜６４Ｆにおいて減圧された後、各冷却器６５Ｂ〜６５Ｆに流入し、そこで冷却作用を発揮する。各冷却器６５Ｂ〜６５Ｆから流出した冷媒は、その後、圧縮機６２に帰還する。以後、当該冷凍サイクル回路６１が連続的に動作することで、各放熱器６３Ａ及び６３Ｂにおいて加熱能力が発揮され、各冷却器６５Ｂ〜６５Ｆにおいて冷却能力が発揮される。
【００７４】
ここで、温蔵ショーケース７０Ａは、当該陳列室４１内の温度に基づいて、第１放熱器６３Ａへの冷媒流入量を制御することにより、所定の温蔵温度帯の陳列空間が形成される。また、冷却ショーケース７０Ｂ〜７０Ｆは、各陳列室４１内の温度に基づいて、対応する膨張弁６４Ｂ〜６４Ｆを開度制御することにより、各冷却器６５Ｂ〜６５Ｆへの冷媒流入量が制御され、所定の冷却温度帯、例えば、冷凍温度帯、チルド温度帯、冷蔵温度帯などの陳列空間が形成される。当該実施の形態では、各ショーケース７０Ａ〜７０Ｆの陳列室４１内を冷却又は加熱する放熱器や冷却器が、各ショーケース７０Ａ〜７０Ｆのダクト４６内に配設されているので、より効率的に各陳列室内を所定の温度帯に制御することが可能となる。
【００７５】
図６はさらにもう一つの他の実施の形態としての冷凍機ユニット８０を備えた移動販売車両の荷台３上の概略平面図である。当該冷凍機ユニット８０は、２つの冷凍サイクル回路８１と９１とをユニット本体内に収容して構成される。なお、当該冷凍機ユニット８０を備えた移動販売車両に配設された各ショーケース７１Ａ〜７１Ｆの具体的な構成は、上述したショーケース４０Ａの構成と略同様であるため、説明を省略する。
【００７６】
第１の冷凍サイクル回路８１は、圧縮機８２と、放熱器８３と、減圧装置としての膨張弁８４と、冷却器８５とを順次環状に配管接続して構成されており、当該冷凍サイクル回路８１内には、所定量の冷媒が封入されている。当該放熱器８３は、陳列室４１内に温蔵温度帯の陳列空間を形成するショーケース７１Ａのダクト４６内に配設されている。そして、当該冷却器８５及び膨張弁８４は、陳列室４１内に冷凍温度帯の陳列空間を形成するショーケース７１Ｂのダクト４６内に配設されている。
【００７７】
一方、第２の冷凍サイクル回路９１は、圧縮機９２と、放熱器９３と、減圧装置としての膨張弁９４と、冷却器９５とを順次環状に配管接続して構成されており、当該冷凍サイクル回路９１内には、所定量の冷媒が封入されている。当該冷凍サイクル回路９１に設けられる冷却器９５は、陳列室内にチルド温度帯や冷蔵温度帯などの冷却された陳列空間を形成する各冷却ショーケース７１Ｃ〜７１Ｆのダクト４６内に配設される第１冷却器９５Ｃ〜第４冷却器９５Ｆである。これら冷却器９５Ｃ〜９５Ｆは、並列に配管接続されている。各冷却器９５Ｃ〜９５Ｆの冷媒流入側には、それぞれ対応する膨張弁９４Ｃ〜９４Ｆが設けられている。なお、放熱器９３の近傍には、空冷用の放熱器用送風機９７が配設されている。
【００７８】
当該構成により、第１冷凍サイクル回路８１の圧縮機８２が運転されることにより、圧縮機８２から吐出した高温冷媒は、放熱器８３内に流入して放熱作用を発揮する。当該放熱器８３において冷却された冷媒は、膨張弁８４において減圧された後、冷却器８５内に流入し、そこで冷却作用を発揮する。冷却器８５から流出した冷媒は、その後、圧縮機８２に帰還する。以後、当該冷凍サイクル回路８１が連続的に動作することで、放熱器８３において加熱能力が発揮され、冷却器８５において冷却能力が発揮される。
【００７９】
よって、放熱器８３が配設されたショーケース７１Ａは、当該放熱器８３の放熱作用によってダクト４６内の空気が加熱され、陳列室４１内に温蔵温度帯の陳列空間が形成される。また、冷却器８５が配設されたショーケース７１Ｂは、冷却器８５の冷却作用によってダクト４６内の空気が冷却され、陳列室４１内に冷凍温度帯の陳列空間が形成される。
【００８０】
一方、第２冷凍サイクル回路９１の圧縮機９２が運転されることにより、圧縮機９２から吐出した高温冷媒は、放熱器９３内に流入して冷却される。当該放熱器９３において冷却された冷媒は、各膨張弁９４Ｃ〜９４Ｆにおいて減圧された後、各冷却器９５Ｃ〜９５Ｆ内に流入し、そこで冷却作用を発揮する。冷却器９５から流出した冷媒は、その後、圧縮機９２に帰還する。以後、当該冷凍サイクル回路９１が連続的に動作することで、各冷却器９５Ｃ〜９５Ｆにおいて冷却能力が発揮される。
【００８１】
よって、各冷却器９５Ｃ〜９５Ｆが配設されたショーケース７１Ｃ〜７１Ｆは、各冷却器９５Ｃ〜９５Ｆの冷却作用によってそれぞれダクト４６内の空気が冷却され、陳列室４１内に冷却された陳列空間が形成される。なお、各ショーケース７１Ｃ〜７１Ｆは、各陳列室４１内の温度に基づいて、対応する膨張弁９４Ｃ〜９４Ｆを開度制御することにより、各冷却器９５Ｃ〜９５Ｆへの冷媒流入量が制御され、所定の冷却温度帯、例えば、冷凍温度帯、チルド温度帯、冷蔵温度帯などの陳列空間が形成される。当該実施の形態では、第１冷凍サイクル回路８１を構成する放熱器８３の放熱作用によって、温蔵ショーケース７１Ａが加熱され、当該第１冷凍サイクル回路８１を構成する冷却器８５の冷却作用によって冷凍ショーケース７１Ｂが冷却されるため、効率的に各陳列室内を冷却又は加熱することが可能となる。そして、当該実施の形態は、当該温蔵ショーケース７１Ａと冷凍ショーケース７１Ｂの各陳列室４１内を冷却又は加熱する冷凍サイクル回路とは別の第２冷凍サイクル回路９１を備え、当該第２冷凍サイクル回路９１の各冷却器９５Ｃ〜９５Ｆによって、各冷却ショーケース７１Ｃ〜７１Ｆの陳列室４１内を冷却している。これにより、より一層高い精度で、各ショーケースの陳列室内の温度制御を実現することが可能となる。
【００８２】
上述した各実施の形態において、荷台３上に配設された各ショーケースの天板上は、顧客等が商品を手に取りにくい高さである。以下に、当該各ショーケースの天板上の利用形態について図面を参照して説明する。
【００８３】
図７には、荷台３上に配設された各ショーケース４０Ａ等の天板上に、商品搬送装置１００が設けられた状態の斜視図を示す。この商品搬送装置１００は、当該ショーケース４０Ａ等の前部から奥方向に渡って構成される商品搬送ラック（商品搬送手段）１０１を備える。当該商品搬送ラック１０１は、従前から用いられるスパイラルラックやコンベヤラック、プッシャ式ラック、チェーン吊下式ラックなどを採用することができる。図中、１０１Ａは、スパイラルラックを採用した商品搬送装置であり、１０１Ｂは、チェーン吊下式ラックを採用した商品搬送装置であり、１０１Ｃは、コンベヤラックを採用した商品搬送装置である。なお、実施形態のバリエーションを説明するため、図７に示す移動販売車両では、ショーケース４０Ａ等の天板上に形態の異なる３種類の商品搬送装置１０１を配置しているが、これに限定されるものではなく、商品の販売形態に応じて、商品搬送装置１００の形態は、任意に変更可能である。
【００８４】
いずれの形態の商品搬送ラック１０１を採用した場合であっても、当該商品搬送ラック１０１には、商品が当該ラックに沿って、すなわち、ショーケースの前部から奥方向に渡って一列に保持される。当該商品搬送ラック１０１は、図示しない駆動モータにより移動可能とされている。本実施の形態の移動販売車両１の荷台３上には、当該商品搬送ラック１０１の操作を入力する図示しない商品搬送ラック１０１用の操作パネルが設けられている。当該商品搬送ラック１０１用の操作パネルは、顧客等の入力操作を容易とする高さ、例えば、当該移動販売車両の接地面から７００ｍｍ〜１４００ｍｍの高さ範囲に設けられていることが好ましい。
【００８５】
以上の構成により、商品搬送ラック１０１用の操作パネルの操作を行うことで、当該商品搬送ラック１０１は、ショーケース４０Ａ等の前方方向に１商品分、図示しない駆動モータによって移動し、当該商品搬送ラック１０１に保持された商品群がショーケース４０Ａ等の前方方向に搬送される。当該商品搬送ラック１０１の移動によって、最前列に保持された商品が、当該商品搬送ラック１０１の端部から落下する。なお、商品搬送ラック１０１の端部から落下した商品を、商品の選択操作を行った顧客の手元に搬送するための商品バケットやシュートなどを設けても良い。
【００８６】
上述したように、本実施の形態では、各ショーケース４０Ａ等の天板上に、手元の操作パネルで操作可能な商品搬送装置１００を設けたことにより、高所に貯蔵陳列された商品であっても前送りされることで、当該商品を顧客の手元まで導くことが可能となる。また、当該商品搬送装置１００は、順次、商品を商品搬送ラック１０１によってショーケース４０Ａ等の前方に搬送する構成を採用しているため、デッドスペースとなり易い高所の奥部であっても効率的に商品を貯蔵陳列することが可能となる。さらに、手に取り難い高所に陳列された商品であっても、所定の操作を行うことで当該商品を顧客の手元まで搬送することが可能となるため、安全性や利便性の向上を図ることができる。
【００８７】
また、当該ショーケース４０Ａ等の天板上には、図８に示すように、内部にストック商品を収納する収納室を構成する扉付きの収納庫１０２を設けても良い。当該ショーケース４０Ａ等の天板上は、顧客の手が届きにくい高所であるため、商品の陳列に適さず、デッドスペースとなり易い。当該ショーケース４０Ａ等の天板上に、ストック商品を収納する収納室を構成した収納庫１０２を設けることによって、陳列商品が販売によって減少した際に、別途踏み台等を使用して店員が当該収納庫からストック商品を取り出すことにより、商品の補充を円滑に行うことが可能となる。従って、図８に示す実施の形態の移動販売車両１では、ショーケース４０Ａ等の天板上にストック商品等を収納しておくことが可能となり、移動販売車両１という限られたスペースにおけるデッドスペースを有効利用することが可能となる。また、当該収納庫１０２に扉を設けておくことにより、高所である収納室内からストック商品が、顧客の頭上に落下する不都合を防止することができる。
【００８８】
さらに、ショーケース４０Ａ等の天板の前端部に、図９に示すように、上方に向けて起立する前壁１０３を設け、当該前壁１０３に、当該ショーケース４０Ａ等内に陳列される商品等の販売促進を目的とする広告（ＰＯＰ）１０４を取り付けても良い。ショーケース４０Ａ等の天板の上方に相当する高所に、販売促進用の広告１０４を設けることにより、当該移動販売車両１から所定距離離れた位置にいる人にも、当該移動販売車両１における取扱商品等を周知することが可能となる。また、図９に示す実施の形態では、商品陳列が困難なショーケース４０Ａ等の上方スペースに当該販売促進用の広告が設けられるため、デッドスペースの有効利用を図ることができる。
【００８９】
上述した如き、各実施の形態では、貨物自動車の当該荷台３の側縁部及び後縁部に沿って配置する機器として、すべてショーケースを採用した場合について説明しているが、当該荷台３の側縁部及び後縁部に配置される機器は、ショーケースに限られるものではない。すなわち、当該荷台３の側縁部及び後縁部に配置される機器のうちのいずれかがショーケースであれば良く、当該ショーケースの陳列室内に所定の温度空間を形成するための冷凍機ユニットが、当該ショーケース及び荷台３の側縁部及び後縁部に配置される他の機器により囲繞される荷台３の中央部に配置されたものであれば、本件発明の効果を奏することができる。
【００９０】
ゆえに、荷台３の側縁部及び後縁部に配置されるショーケース以外の機器としては、例えば、内部に貯蔵室を構成した冷却貯蔵庫や、スチームを用いてスチーム加熱商品を保温するスチーム保温器、簡易式のレジスターなどであっても良い。また、当該荷台３の側縁部や後縁部に配置される機器としては、操作パネルの操作に従って、内部に貯蔵された商品を取出口にまで搬送可能とする自動搬送機能付きの冷却貯蔵庫であっても良い。当該自動搬送機能付きの冷却貯蔵庫は、温度の上昇によって品質の劣化が著しい冷菓などの商品を貯蔵しておく場合などにおいて特に有効である。
【産業上の利用可能性】
【００９１】
本件発明にかかる移動販売車両は、ショーケースを貨物自動車の荷台の側縁部及び又は後縁部に沿って配置し、ショーケースの陳列室内に所定の温度空間を形成するための冷凍機ユニットをこれら各ショーケースにより囲繞される荷台中央部に配置したことにより、高齢者等の顧客も利用しやすく、且つ、適切な温度で積載・陳列可能とし、高い陳列効果を実現することができるので、路上などで販売が行われる移動販売車両において特に有効である。
【符号の説明】
【００９２】
１    移動販売車両
２    キャビン
３    荷台
３Ａ、３Ｂ  側縁部
３Ｃ  後縁部
４    区画壁
５    蓄電池
１０、５０、６０、８０  冷凍機ユニット
１０Ａ  ユニット本体
１１、６１、８１、９１  冷凍サイクル回路
１２、６２、８２、９２  圧縮機
１３、１４、６３（６３Ａ、６３Ｂ）、８３、９３  放熱器
１５、６４（６４Ｂ〜６４Ｆ）、８４、９４（９４Ｃ〜９４Ｆ）  膨張弁（減圧装置）
１６、６５（６５Ｂ〜６５Ｆ）、８５、９５（９５Ｃ〜９５Ｆ）  冷却器
１７、１８、６６Ａ、６６Ｂ  電磁弁
１９    受液器
２１、２２  逆止弁
２３、６７  放熱器用送風機
２５、５１    空調ダクト
２６    ダクト用送風機
２７    吸入部
２８    吸入空気切替ダンパ
３０Ａ、３０Ｂ、３０Ｃ、３０Ｅ、３０Ｆ、３１、３２  空気流路
４０Ａ〜４０Ｆ、７０Ａ〜７０Ｆ、７１Ａ〜７１Ｆ  ショーケース
４１    陳列室
４２    前面開口
４３    断熱壁
４４    側壁
４５    仕切板
４６    ダクト
４７    透明ガラス扉
４８    陳列室内循環用の送風機
５２    冷気流路
５３    暖気流路
５４Ａ〜５４Ｆ  分配冷気流路
５５Ａ〜５５Ｆ  分配暖気流路
５６Ａ〜５６Ｆ  エアミックスダクト
１００  商品搬送装置
１０１（１０１Ａ〜１０１Ｃ）  商品ラック
１０２  収納庫
１０３  前壁
１０４  広告
【図１】
2015071381.tif 000003
【図２】
2015071381.tif 000004
【図３】
2015071381.tif 000005
【図４】
2015071381.tif 000006
【図５】
2015071381.tif 000007
【図６】
2015071381.tif 000008
【図７】
2015071381.tif 000009
【図８】
2015071381.tif 000010
【図９】
2015071381.tif 000011